(57)【特許請求の範囲】
【請求項１】
光源が照射した光を分波して物体光及び参照光を出力する分波手段と、
光学部材を透過した前記物体光を前記参照光と干渉させて干渉光を生成する干渉手段と、
前記干渉光の干渉縞を撮像して前記干渉縞を示すデータを取得する撮像手段と、
前記干渉縞を示すデータをフーリエ変換して１次回折成分を取出し、前記１次回折成分と基準成分を比較することで前記光学部材の評価値を求める処理を行う処理手段と、
を備え、
前記光学部材は入射された光を所定の導波モードの光に変換する光学部材であり、
前記基準成分は、前記所定の導波モードの基準成分であることを特徴とする評価装置。
【請求項２】
光源が照射した光を分波して物体光及び参照光を出力する分波手段と、
光学部材を透過した前記物体光を前記参照光と干渉させて干渉光を生成する干渉手段と、
前記干渉光の干渉縞を撮像して前記干渉縞を示すデータを取得する撮像手段と、
前記干渉縞を示すデータをフーリエ変換して１次回折成分を取出し、前記１次回折成分と基準成分を比較することで前記光学部材の評価値を求める処理を行う処理手段と、
を備え、
前記光学部材は入射された光を所定の導波モードの光に変換する光学部材であり、
前記基準成分は、前記所定の導波モード以外の導波モードの基準成分であることを特徴とする評価装置。
【請求項３】
光源が照射した光を分波して物体光及び参照光を出力する分波手段と、
マルチモード光ファイバを透過した前記物体光を前記参照光と干渉させて干渉光を生成する干渉手段と、
前記干渉光の干渉縞を撮像して前記干渉縞を示すデータを取得する撮像手段と、
前記干渉縞を示すデータをフーリエ変換して１次回折成分を取出し、前記１次回折成分と基準成分を比較することで前記マルチモード光ファイバの評価値を求める処理を行う処理手段と、
を備え、
前記基準成分は、前記マルチモード光ファイバに入射された光の導波モードの基準成分であることを特徴とする評価装置。
【請求項４】
光源が照射した光を分波して物体光及び参照光を出力する分波手段と、
マルチモード光ファイバを透過した前記物体光を前記参照光と干渉させて干渉光を生成する干渉手段と、
前記干渉光の干渉縞を撮像して前記干渉縞を示すデータを取得する撮像手段と、
前記干渉縞を示すデータをフーリエ変換して１次回折成分を取出し、前記１次回折成分と基準成分を比較することで前記マルチモード光ファイバの評価値を求める処理を行う処理手段と、
を備え、
前記基準成分は、前記マルチモード光ファイバに入射された光の導波モード以外の導波モードの基準成分であることを特徴とする評価装置。
【請求項５】
光源が照射した光を分波して物体光及び参照光を出力する分波手段と、
マルチコア・マルチモード光ファイバを透過した前記物体光を前記参照光と干渉させて干渉光を生成する干渉手段と、
前記干渉光の干渉縞を撮像して前記干渉縞を示すデータを取得する撮像手段と、
前記干渉縞を示すデータをフーリエ変換して１次回折成分を取出し、前記１次回折成分と基準成分を比較することで前記マルチコア・マルチモード光ファイバの評価値を求める処理を行う処理手段と、
を備え、
前記物体光は前記マルチコア・マルチモード光ファイバの第１コアに第１導波モードに変換されて入射され、
前記基準成分は、前記第１コアの前記第１導波モードの基準成分であることを特徴とする評価装置。
【請求項６】
光源が照射した光を分波して物体光及び参照光を出力する分波手段と、
マルチコア・マルチモード光ファイバを透過した前記物体光を前記参照光と干渉させて干渉光を生成する干渉手段と、
前記干渉光の干渉縞を撮像して前記干渉縞を示すデータを取得する撮像手段と、
前記干渉縞を示すデータをフーリエ変換して１次回折成分を取出し、前記１次回折成分と基準成分を比較することで前記マルチコア・マルチモード光ファイバの評価値を求める処理を行う処理手段と、
を備え、
前記物体光は前記マルチコア・マルチモード光ファイバの第１コアに第１導波モードに変換されて入射され、
前記基準成分は、前記第１コアの前記第１導波モード以外の導波モードの基準成分であることを特徴とする評価装置。
【請求項７】
光源が照射した光を分波して物体光及び参照光を出力する分波手段と、
マルチコア・マルチモード光ファイバを透過した前記物体光を前記参照光と干渉させて干渉光を生成する干渉手段と、
前記干渉光の干渉縞を撮像して前記干渉縞を示すデータを取得する撮像手段と、
前記干渉縞を示すデータをフーリエ変換して１次回折成分を取出し、前記１次回折成分と基準成分を比較することで前記マルチコア・マルチモード光ファイバの評価値を求める処理を行う処理手段と、
を備え、
前記物体光は前記マルチコア・マルチモード光ファイバの第１コアに第１導波モードに変換されて入射され、
前記基準成分は、前記第１コアとは異なるコアの前記第１導波モードの基準成分であることを特徴とする評価装置。
【請求項８】
光源が照射した光を分波して物体光及び参照光を出力する分波手段と、
マルチコア・マルチモード光ファイバを透過した前記物体光を前記参照光と干渉させて干渉光を生成する干渉手段と、
前記干渉光の干渉縞を撮像して前記干渉縞を示すデータを取得する撮像手段と、
前記干渉縞を示すデータをフーリエ変換して１次回折成分を取出し、前記１次回折成分と基準成分を比較することで前記マルチコア・マルチモード光ファイバの評価値を求める処理を行う処理手段と、
を備え、
前記物体光は前記マルチコア・マルチモード光ファイバの第１コアに第１導波モードに変換されて入射され、
前記基準成分は、前記第１コアとは異なるコアの前記第１導波モード以外の導波モードの基準成分であることを特徴とする評価装置。
【発明の詳細な説明】
【技術分野】
【０００１】
本開示は、光学部材及び光ファイバの評価装置に関する。
【背景技術】
【０００２】
光ファイバの伝送容量の拡大のため１つのコアで複数の光信号をモード多重して伝送するマルチモード光ファイバや、１本の光ファイバに複数のコアを設けたマルチコア光ファイバが提案されている。
【０００３】
マルチモード光ファイバでは、モード間結合が生じ、マルチコア光ファイバでは、コア間結合が生じる。また、モード変換器、つまり、マルチコア光ファイバにおいて光信号を所定の導波モードに変換する光学部材においても、当該所定の導波モード以外の導波モードの光信号が出力される。このため、特許文献１は、モード間結合やコア間結合の測定方法を開示している。
【先行技術文献】
【特許文献】
【０００４】
【特許文献１】特開２０１４−１５３１１６号公報
【発明の概要】
【発明が解決しようとする課題】
【０００５】
しかしながら、特許文献１が開示する方法は、評価対象のマルチモード光ファイバの導波モード数や、評価対象のマルチコア光ファイバのコア数と同じ数の光パルス試験機（ＯＴＤＲ）を必要とし、これら複数のＯＴＤＲでの測定を同期させる必要がある。したがって、評価システムが複雑、かつ、高価になる。さらに、ＯＴＤＲを使用するため、モード変換器といった光学部材を単体で評価できない。
【０００６】
本発明は、簡易な構成で、光学部材及び光ファイバを評価できる評価装置を提供するものである。
【課題を解決するための手段】
【０００７】
本発明の一側面によると、評価装置は、光源が照射した光を分波して物体光及び参照光を出力する分波手段と、光学部材を透過した前記物体光を前記参照光と干渉させて干渉光を生成する干渉手段と、前記干渉光の干渉縞を撮像して前記干渉縞を示すデータを取得する撮像手段と、前記干渉縞を示すデータをフーリエ変換して１次回折成分を取出し、前記１次回折成分と基準成分を比較することで前記光学部材の評価値を求める処理を行う処理手段と、を備え、前記光学部材は入射された光を所定の導波モードの光に変換する光学部材であり、前記基準成分は、前記所定の導波モードの基準成分であることを特徴とする。
【発明の効果】
【０００８】
簡易な構成で、光学部材及び光ファイバを評価できる。
【図面の簡単な説明】
【０００９】
【図１】一実施形態による評価装置の構成図。
【図２】一実施形態による評価装置の構成図。
【図３】一実施形態による評価装置の構成図。
【発明を実施するための形態】
【００１０】
以下、本発明の例示的な実施形態について図面を参照して説明する。なお、以下の実施形態は例示であり、本発明を実施形態の内容に限定するものではない。また、以下の各図においては、実施形態の説明に必要ではない構成要素については図から省略する。
【００１１】
図１は、本実施形態による評価装置の基本構成図である。被測定物３は、測定対象の光学部材又は光ファイバである。分波器２は、光源１が照射した光を２分岐し、一方の光を物体光として被測定物３に出力し、他方の光を参照光として出力する。干渉計４は、被測定物３を通過した物体光と参照光を干渉させ、干渉光を撮像部５に出力する。撮像部５は、例えば、ＣＣＤセンサを有し、干渉光による干渉縞を撮影してデジタル・データに変換する。処理部６は、このデジタル・データを２次元フリーリエ変換し、１次回折成分を取り出す。これにより、被測定物３を通過してきた物体光の複素振幅分布を得る。この複素振幅分布を所定の目標分布と比較することでモード間結合やコア間結合等、光学部材又は光ファイバの評価値を計算する。
【００１２】
図２は、モード変換器３１を被測定物３とする場合の評価装置の構成図を示している。分波器２は、物体光をシングルモード光ファイバ７に出力し、参照光をシングルモード光ファイバ８に出力する。シングルモード光ファイバ７及びシングルモード光ファイバ８の分波器２とは逆の端面から、物体光及び参照光はそれぞれ空間に放射される。レンズ９１は、シングルモード光ファイバ７から放射された物体光を平行光にしてモード変換器３１に出力する。モード変換器３１は、物体光を所定の導波モード（以下、第１導波モード）の光に変換してハーフ・ミラー１０に向けて出力する。レンズ９２は、シングルモード光ファイバ８から放射された参照光を平行光にしてミラー１１に出力する。参照光は、ミラー１１でハーフ・ミラー１０に向けて反射され、さらに、ハーフ・ミラー１０において、ハーフ・ミラー１０を透過する物体光と略同じ方向に反射される。これにより物体光と参照光は干渉させられ、干渉光となる。この干渉光は撮像部５に入力され、撮像部５のＣＣＤセンサを照射する。撮像部５は、干渉光の干渉縞を撮影してデジタル・データに変換する。処理部６は、このデジタル・データを２次元フーリエ変換して１次回折成分を取り出す。この１次回折成分は、モード変換器３１が変換した第１導波モードの空間分布の周波数成分を示し、これを、第１導波モードの理想的な周波数成分を示す基準成分と比較することで、モード変換器１２がどの程度、理想的にモードを変換しているかを示す評価値を計算することができる。例えば、評価値は、モード変換器１２が出力する導波モードが理想値である場合に１となる様に正規化した値として計算される。この場合、評価値は０〜１の値を取る。なお、周波数領域ではなく、空間領域に変換してから評価値を計算することもできる。また、１次回折成分と、モード変換器３１が変換すべき第１導波モードとは異なる１つ以上の導波モード（以下、第２導波モード）それぞれの基準成分と比較することで、モード変換器が、各第２導波モードの光をどの程度出力しているかを示す評価値を計算することができる。
【００１３】
図３は、マルチモード光ファイバ３２を被測定物３とする場合の評価装置の構成図を示している。分波器２は、物体光をシングルモード光ファイバ７に出力し、参照光をシングルモード光ファイバ８に出力する。シングルモード光ファイバ７及びシングルモード光ファイバ８の分波器２とは逆の端面から、物体光及び参照光はそれぞれ空間に放射される。レンズ９１は、シングルモード光ファイバ７から放射された物体光を平行光にしてモード変換器３１に出力する。モード変換器３１は、物体光を第１導波モードの光に変換する。この物体光は、レンズ９３を通過してマルチモード光ファイバ３２に入射される。マルチモード光ファイバ３２を伝搬した物体光は、他方の端面から空間に放射される。レンズ９４は、この空間に放射された物体光を平行光にしてハーフ・ミラー１０に向けて出力する。レンズ９２は、シングルモード光ファイバ８から放射された参照光を平行光にして偏波制御器１２に出力する。偏波制御器１２は、参照光の偏波面を調整する。より詳しくは、偏波制御器１２は、後述する偏波ビーム・スプリッタ（ＰＢＳ）１３が出力する直交する２つの偏波の光の強度が同程度となる様に、参照光の偏波面を制御する。偏波制御器１２が出力する参照光はミラー１１で反射され、ハーフ・ミラー１０において物体光と干渉させられる。ハーフ・ミラー１０からの干渉光は、ＰＢＳ１３において、互いに直交する偏波面の光に変換され、撮像部５に出力される。撮像部５は、互いに直交する２つの干渉光の干渉縞をそれぞれデジタル・データに変換する。
【００１４】
処理部６は、２つの干渉縞に対応するデジタル・データをそれぞれ２次元フーリエ変換して１次回折成分を取り出す。処理部６は、第１導波モードの各偏波の基準成分と対応する偏波の干渉縞から求めた１次回折成分をそれぞれ比較して各偏波の評価値を求め、これを合わせることで、モード変換器３１が変換し、マルチモード光ファイバ３２を伝搬した第１導波モードの光がどの程度理想値に近いかを示す評価値を計算することができる。また、１次回折成分を、各第２導波モードの基準成分それぞれと比較することで、どの程度、第２導波モードの光が生成されるかを示す評価値を計算することができる。なお、マルチモード光ファイバ３２のみの評価値は、モード変換器３１のみの評価値を図２の構成により予め測定しておくことにより求めることができる。
【００１５】
なお、図３は、１つのコアを有するマルチモード光ファイバ３２を評価する構成であったが、例えば、複数のコアを有するマルチコア・マルチモード光ファイバを被測定物３とすることができる。この場合、レンズ９３を透過した光は、複数のコアの内の１つのコア（以下、第１コア）に入力される。撮像部５は、参照光と、マルチコア・マルチモード光ファイバの各コアから出力される物体光との干渉光による干渉縞を撮影してデジタル・データに変換し、処理部６は、デジタル・データを変換して１次回折成分を取り出す。処理部６は、各コアと各導波モードの組み合わせ毎の基準成分を有しており、１次回折成分と各基準成分を比較することで、各コアと各導波モードの組み合わせに対する評価値を得ることができる。具体的には、第１コアの第１導波モードの基準成分と１次回折成分を比較することで、マルチコア・マルチモード光ファイバを伝搬した光がどの程度理想的に近いかを示す評価値を計算することができる。また、第１コアの各第２導波モードの基準成分それぞれと１次回折成分を比較することで、第１コアに生成される第２導波モードの光を示す評価値を計算することができる。さらに、第１コア以外の各コア（以下、第２コア）の第１導波モードの基準成分それぞれと１次回折成分を比較することで、各第２コアに生成される第１導波モードの光を示す評価値を計算することができる。さらに、第２コアの第２導波モードの基準成分それぞれと１次回折成分を比較することで、各第２コアに生成される各第２導波モードの光を示す評価値を計算することができる。
【００１６】
以上、本実施形態の評価装置は、被測定物３を透過した物体光と参照光の干渉縞をフーリエ変換して一次回折成分を取り出すことで、物体光の空間分布を求め、これにより、被測定物３の評価を行う。本実施形態の評価装置は、ＯＴＤＲを使用せず、よって、光学部材の評価を行うことができる。また、導波モード数や、コア数に拘らず、同じ簡易な構成で光学部材や光ファイバの評価を行うことができる。
【図１】
0006430791.tif 000002
【図２】
0006430791.tif 000003
【図３】
0006430791.tif 000004